(57)【要約】【課題】家具の物品内において引出しをスライド式に開閉するために同期スライド運動をなすガイドレールアセンブリを提供する。【解決手段】アセンブリは支持手段(10)と固定ガイド(20)と中間プルアウトレール(30)と外部プルアウトチャネル(40)を備える。同期部材(50,60)はレール(30)の上に旋回式に取り付けられ、第2アーム(52,62)および第1アーム(51,61)を備える。第1アーム(51,61)はエルボーを形成するよう湾曲(51b,61b)を含む。中央部分(53,63)は、アセンブリの開放または閉鎖中、第1アームのエルボーが外部プルアウトチャネルの後方端部と係合して、外部プルアウトチャネル(40)を中間レール(30)にロックする第1状況と、中央部分が固定ガイド(20)を中間レール(30)にロックするように突出部によって係合される第2状況との間で、同期部材を切り替えるために突出部(21)と相互作用するよう構成される。【選択図】図３
2006231046.tif 000002
【特許請求の範囲】
【請求項１】
家具の物品内において引出しをスライド式に開閉するための同期スライド運動をなすガイドレールアセンブリであって、前記アセンブリを前記家具の物品に固定するための支持手段(10)と、前記支持手段の上に取り付けられ、中間プルアウトレール(30)を受けるための固定ガイド(20)と、前記固定ガイドに対して前後にスライドすることができる中間プルアウトレールと、前記引出しに取り付けるための、前記中間プルアウトレールおよび前記固定ガイドに対して前記中間プルアウトレールの上を前後にスライドすることができ、底面上に突出部(44)を有する外部プルアウトチャネル(40)であって、前記突出部が、前記中間プルアウトレール内の空間の中に突出する外部プルアウトチャネル(40)と、前記中間レールの上に旋回式に取り付けられ、旋回点(53a,63a)を含む中央部分(53,63)からほぼ反対方向に延びる前方に延びる第1アーム(51,61)および後方に延びる第2アーム(52,62)を備える同期部材(50,60)とを備え、各前記アームが、前記同期部材が前記固定ガイドの上面に沿って進行することを可能にするそれぞれのローラ(51a,52a;61a,62a)において終端し、前記第1アーム(51)が、エルボーを画定するために湾曲(51b)を含み、前記中央部分(53,63)が、前記アセンブリの開放行為または閉鎖行為中、前記第1アームの前記エルボーが前記固定ガイドの後方端部と係合して、前記中間レールを前記固定ガイドにロックする第1条件と、前記中央部分が、前記プルアウトチャネルを前記中間レールにロックするように、前記突出部によって係合される第2条件との間において、前記同期部材を切り替えるために、前記突出部(44)と相互作用するように構成されるガイドレールアセンブリ。
【請求項２】
前記同期部材(50,60)の前記後方に延びる第2アーム(52,62)が、第2旋回点(53c,63c)の回りにおいて前記中央部分(53,63)に対して旋回可能であり、末端ローラ(52a,62a)が、前記固定ガイド(20)の上面と接触可能であるような位置に偏向される請求項1に記載のガイドレールアセンブリ。
【請求項３】
前記偏向手段が、取外し可能ばね(52b)を備える請求項2に記載のガイドレールアセンブリ。
【請求項４】
前記偏向手段が前記同期部材(60)の弾性変形可能部分(62b)を備える請求項2に記載のガイドレールアセンブリ。
【請求項５】
前記同期部材(50,60)の前記中央部分(53,63)が、前記外部プルアウトチャネル(40)の底面上において前記突出部(44)の縦方向端部と係合可能である突出ノブ様部分(53b,63b)をさらに備える請求項1ないし請求項4のいずれか1項に記載のガイドレールアセンブリ。
【請求項６】
前記固定ガイド(20)の前方端部が、前記第1条件において前記前方に延びる第1アーム(51,61)によって係合される弾性制動部分(22)をさらに備える請求項1ないし請求項5のいずれか1項に記載のガイドレールアセンブリ。
【請求項７】
前記外部プルアウトチャネル(40)の前記底面上の前記突出部(44)が、前記外部プルアウトチャネルと一体式である請求項1ないし請求項6のいずれか1項に記載のガイドレールアセンブリ。
【請求項８】
前記外部プルアウトチャネル(40)の前記底面上の前記突出部(44)が、各縦方向端部の上にガイドランプをさらに備える請求項1ないし請求項7のいずれか1項に記載のガイドレールアセンブリ。
【請求項９】
家具の物品内において引出しをスライド式に開閉するための同期スライド運動をなすガイドレールアセンブリであって、前記アセンブリが、前記アセンブリを前記家具の物品に固定するための支持手段(10)と、前記支持手段の上に取り付けられ、中間プルアウトレール(30)を受けるための、前記中間プルアウトレール内の空間の中に突出する突出部(21)を前記固定ガイドの上面上に有する固定ガイド(20)と、前記固定ガイドに対して前後にスライドすることができる中間プルアウトレールと、前記引出しに取り付けるための、前記中間プルアウトレールおよび前記固定ガイドに対して前記中間プルアウトレールの上を前後にスライドすることができる外部プルアウトチャネル(40)と、前記中間レールの上に旋回式に取り付けられ、旋回点(53a,63a)を含む中央部分(53,63)からほぼ反対方向に延びる前方に延びる第2アーム(52,62)および後方に延びる第1アーム(51,61)を備える同期部材とを備え、各前記アームが、前記同期部材が前記外部プルアウトチャネル(40)の底面に沿って進行することを可能にするそれぞれのローラ(51a,52a;61a,62a)において終端し、前記後方に延びる第1アーム(51,61)が、エルボーを画定するように湾曲(51b,61b)を含み、前記中央部分が、前記アセンブリの開放行為または閉鎖行為中、前記第1アームの前記エルボーが前記外部プルアウトチャネルの後方端部と係合して、前記外部プルアウトチャネルを前記中間レールにロックする第1条件と、前記中央部分が、前記中間レールを前記固定ガイドにロックするように、前記突出部によって係合される第2条件との間において、前記同期部材を切り替えるために、前記突出部(21)と相互作用するように構成されるガイドレールアセンブリ。
【請求項１０】
前記同期部材(50,60)の前記前方に延びる第2アーム(52,62)が、第2旋回点(53c,63c)の回りにおいて前記中央部分(53,63)に対して旋回可能であり、末端ローラ(52a,62a)が、前記外部プルアウトチャネルの底面と接触可能であるような位置に偏向される請求項9に記載のガイドレールアセンブリ。
【請求項１１】
前記偏向手段が取外し可能ばね(52b)を備える請求項10に記載のガイドレールアセンブリ。
【請求項１２】
前記偏向手段が前記同期部材(60)の弾性変形可能部分(62b)を備える請求項9に記載のガイドレールアセンブリ。
【請求項１３】
前記同期部材(50,60)の前記中央部分(53,63)が、前記固定ガイド(20)の上面上の突出部(21)の縦方向端部と係合可能である突出ノブ状部分(53b,63b)をさらに備える請求項9ないし請求項12のいずれか1項に記載のガイドレールアセンブリ。
【請求項１４】
前記外部プルアウトガイド(40)の前記後方端部が、前記第1条件において前記後方に延びる第1アーム(51,61)によって係合される弾性制動部分(43)をさらに備える請求項9ないし請求項13のいずれか1項に記載のガイドレールアセンブリ。
【請求項１５】
前記固定ガイド(20)の前記上面上の前記突出部(21)が前記固定ガイドと一体式である請求項9ないし請求項14のいずれか1項に記載のガイドレールアセンブリ。
【請求項１６】
前記固定ガイド(20)の前記上面上の前記突出部(21)が、各縦方向端部の上にガイドランプをさらに備える請求項9ないし請求項15のいずれか1項に記載のガイドレールアセンブリ。
【請求項１７】
前記中間プルアウトレール(30)がＩ形垂直断面を有する請求項1ないし請求項16のいずれか1項に記載のガイドレールアセンブリ。
【請求項１８】
前記固定ガイド(20)および前記外部プルアウトチャネル(40)が、それぞれ、前記中間レール(30)が前記固定ガイドの上でスライド可能であり、同様に前記外部プルアウトチャネルが前記中間レールの上でスライド可能であることを可能にする複数のローラを有するスライド可能ハウジング(70)をさらに備える請求項1ないし請求項17のいずれか1項に記載のガイドレールアセンブリ。
【発明の詳細な説明】
【技術分野】
【０００１】
本発明は、家具産業、より具体的には、スライド式に開閉される引出しにおいて使用されるガイドレールアセンブリに関する。
【背景技術】
【０００２】
引出しガイドレールは、机またはキャビネットの引出し、および倉庫のプルアウト貯蔵棚、スーパーマーケットのキャッシュレジスタ、銀行業務キオスクの現金自動預入支払機、電話交換局の電子機器などの産業的使用など、日常的に一般に使用される構成要素である。
【０００３】
ガイドレールアセンブリが、引出しが部分的または完全に開閉されるために提供され、アセンブリを家具の物品に固定するためのブラケットと、ブラケットの上に取り付けられた固定レールと、引出しの側面に取り付けられたプルアウトレールと、好ましくは固定レールとプルアウトレールとの間の中間レールとから通常はなる。中間レールは、固定レールの上でスライド可能であり、プルアウトレールは、固定レールおよびプルアウトレールの内部に配置されたスライド可能ローラハウジングにより、中間レールの上でスライド可能である。固定レール、中間レール、およびプルアウトレールのそれぞれは、一般的には、限定ストッパの対と共にも配置される。各レール要素上の限定ストッパの各対間においてスライド可能ローラハウジングによって進行される距離は、通常、各レールの進行距離を画定する。
【０００４】
しかし、スライド可能構成要素、すなわちこの通常の構造のガイドレールアセンブリの中間レールおよびプルアウトレールは、通常、非順次方式でスライドするか、またはすなわち、プルアウトレールおよび中間レールがスライド可能になる順序を制御することは可能でなかった。一般に、スライド運動の順序は、ガイドレールアセンブリのスライド構成要素(中間レールまたはプルアウトレール)のどの1つが下限摩擦抵抗を呈するかに依存していた。また、十分にしばしば、中間レールおよびプルアウトレールの両方とも、同時にスライドを開始して、スライドを続行する。例えば、通常のレールアセンブリでは、中間レールは、引出しがわずかに開かれるとき、すなわち完全には引き出されないように外向きに引かれるとき、プルアウトレールに沿ってしばしば移動する。この場合、中間レールは、引出しが押されて閉じられるとき、引き出された引出しを通り過ぎて後方に移動されなければならず、その結果、必然的に、プルアウトの限界ストッパと固定レールとは互いにぶつかり、したがって無用で望ましくない雑音が生じる。通常のレールアセンブリにおいてしばしば生じる他のシナリオでは、中間レールは、引出しがわずかに開かれるとき、スライドして移動する。これにより、中間レールが使用者に見えるようになるという望ましくない結果が生じる。
【０００５】
したがって、ガイドレールアセンブリの3つの構成要素、すなわち、固定レール、中間レール、およびプルアウトレールが互いに関してスライド可能になる順序を制御することが望ましい。これらの3つのレール構成要素が、ギアまたは摩擦結合によって互いに永続的に結合される従来の引出しガイドレールアセンブリが、これまで提供されており、このタイプのこれらのレールアセンブリは、一般に、生産および製造が高く付き、頻繁に誤作動および故障する傾向がある。
【０００６】
上記問題を克服するために、レール順序付け機構を有する既存の引出しスライドガイドレールシステムが提示されている(特許文献1参照)。この米国特許に係る従来のシステムは、静止キャビネットスライドと、キャビネットスライドの上に取り付けられたローラを介してキャビネットスライドの上において誘導され、かつスライド可能な中間側面ガイドと、中間スライドの上に取り付けられたローラを介して中間スライドの上で誘導され、かつスライド可能な引出しスライドとを備える。この従来のシステムの順序付け機構は、中間スライドの前方端部の上に、かつそれに近接して配置される結合要素、ならびに結合要素と協働するようにキャビネットおよび引出し側面の上に配置される隣接装置からなる。
【０００７】
この従来のシステムの結合要素は、複数のストッパ表面と、ストッパから延びて、端部において受け凹みを画定するアイレット形ばねとを有する成形された旋回スナップアクションロック部材である。この結合要素は、中間スライドの前方端部に近接する開口において係合されるか、または開口の中に「くさび」で締め付けられる。キャビネットスライドはピンを有し、このピンは、この従来のシステムが使用されるとき、ロック部材とばね凹みとの間において、くさびで締め付けることができ、それにより、ばねと係合して、ばねを偏向させる。引出しスライドの上面上に配置される隣接装置は、ロック部材のストップ表面と接触可能である。
【０００８】
これらの従来のシステムのこれらのスライド要素(キャビネット、中間スライド、および引出しスライド)のスライド運動は、結合要素を中間スライドの上に配置し、2つの端部位置間において旋回させ、それにより、中間スライドをキャビネットまたは引出しスライドに選択的にロックすることによって順序付けられる。ロック部材のばね凹み内においてキャビネットスライドピンが係合することにより、アイレット形ばねは偏向され、中間スライドを静止キャビネットスライドにロックまたは固定する。引出しスライドが引き出されるとき(引出しが引かれて開く)、上方突出隣接装置は、ロック部材の面と係合して、ロック部材がピンとの係合から解放されるまで、ロック部材を旋回させる、すなわち中間スライドを静止キャビネットスライドから自由にする。想像できるように、このプロセスは、引出しスライドが引き込まれるときには(引出しが押し込まれて閉じる)逆になる。基本的に、この従来のシステムの3つのスライド要素のスライド運動の順序は、アイレット形ばねの弾性、およびキャビネットスライドピンとロック部材の凹みとの間の適切な接触または係合、ならびにロック部材の停止表面と引出しスライドの上方突出隣接装置との係合に非常に大きく依存する。
【０００９】
結合要素がスライド要素と相互作用するように配置される上述の構造および方式のために、これは、特に大きな力または過剰な力が引出しを引き出すかまたは押し込むために使用されるとき、あるいは、アイレット形ばねが弾性限界を過ぎて偏向される可能性がある重い負荷が引出しによって担持されるとき、スライド運動を順序付けるのに有効でない方法である。長期間にわたる頻繁な、持続的な、または積極的な使用により、結合要素は、中間スライドから外れる可能性もある。さらにまた、この従来の順序付け機構の構造により、この引出しスライドシステムのアセンブリは、不必要に複雑になり、膨大な時間量を必要とする。
【特許文献１】米国特許第5,433,517号明細書
【発明の開示】
【発明が解決しようとする課題】
【００１０】
したがって本発明の目的は、従来の技術の問題のいくつかまたはすべてを軽減し、組立ておよび製造が容易で、実用的かつ多目的であり、積極的で持続的な使用を可能にする同期部材を有するスライドガイドレールアセンブリを提供することである。
【課題を解決するための手段】
【００１１】
本発明の一態様によれば、家具の物品内において引出しをスライド式に開閉するための同期スライド運動をなすガイドレールアセンブリが提供される。アセンブリは、アセンブリを家具の物品に固定するための支持手段と、中間プルアウトレールを受けるために支持手段の上に取り付けられる固定ガイドと、固定ガイドに対して前後にスライドすることができる中間プルアウトレールと、引出しに取り付けるための、外部プルアウトチャネルおよび固定ガイドに対して中間プルアウトレールの上を前後にスライドすることができる外部プルアウトチャネルとを備える。外部プルアウトチャネルは、底面上に突出部を有し、突出部は、中間プルアウトレール内の空間の中に突出し、同期部材が、中間レールの上に旋回式に取り付けられる。同期部材は、前方に延びる第1アームおよび後方に延びる第2アームを備え、これらのアームは、旋回点を含む中央部分からほぼ反対方向に延び、アームのそれぞれは、同期部材が固定ガイドの上面に沿って進行することを可能にするそれぞれのローラにおいて終端する。第1アームは、エルボーを画定するように湾曲を含み、中央部分は、アセンブリを開放または閉鎖する行為中、第1アームのエルボーが固定ガイドの前方端部と係合して、中間レールを固定ガイドにロックする第1条件と、プルアウトガイドを中間レールにロックするために中央部分が突出部によって係合される第2条件との間において、同期部材を切り替えるために、突出部と相互作用するよう構成される。
【００１２】
この態様の一実施形態では、同期部材の後方に延びる第2アームは、第2旋回点の回りにおいて中央部分に対して旋回可能であり、末端ローラが固定ガイドの上面と接触可能であるような位置に偏向される。偏向手段は、取外し可能ばね、または同期部材の弾性変形部分を備えることが可能である。
【００１３】
他の実施形態では、同期部材の中央部分は、外部プルアウトチャネルの底面上の突出部の縦方向端部と係合可能である突出ノブ状部分をさらに備える。
【００１４】
他の実施形態では、固定ガイドの前方端部は、第1条件において前方に延びる第1アームによって係合される弾性制動部分をさらに備える。
【００１５】
他の実施形態によれば、外部プルアウトチャネルの底面上の突出部は、外部プルアウトチャネルと一体式である。
【００１６】
他の実施形態によれば、外部プルアウトチャネルの底面上の突出部は、各縦方向端部の上にガイドランプをさらに備える。
【００１７】
本発明の好ましい態様において、家具の物品内において引出しをスライド式に開閉するための同期スライド運動をなすガイドレールアセンブリが提供される。アセンブリは、前記アセンブリを家具の物品に固定するための支持手段と、支持手段の上に取り付けられ、中間プルアウトレールを受け、前記固定ガイドの上面上に突出部を有するための固定ガイドであって、突出部が、中間プルアウトレール内の空間の中に突出する固定ガイドと、固定ガイドに対して前後にスライドすることができる中間プルアウトレールと、引出しに取り付けるための、中間プルアウトレールおよび固定ガイドに対して中間プルアウトレールの上を前後にスライドすることができる外部プルアウトチャネルとを備える。同期部材が、中間レールの上に旋回式に取り付けられ、同期部材は、前方に延びる第2アームおよび後方に延びる第1アームを備え、これらのアームは、一般に、旋回点を含む中央部分から反対方向に延びる。アームのそれぞれは、同期部材が外部プルアウトチャネルの底面に沿って進行することを可能にするそれぞれのローラにおいて終端し、後方に延びる第1アームは、エルボーを画定するように湾曲を含む。中央部分は、第1アームのエルボーが外部プルアウトチャネルの後方端部と係合して、外部プルアウトチャネルを中間レールにロックする第1条件と、中央部分が、中間レールを固定ガイドにロックするために突出部によって係合される第2条件との間において、アセンブリを開放または閉鎖する行為中、同期部材を切り替えるために、突出部と相互作用するよう構成される。
【００１８】
好ましい態様の一実施形態では、同期部材の前方に延びる第2アームは、第2旋回点の回りにおいて中央部分に対して旋回可能であり、末端ローラが外部プルアウトチャネルの下面と接触可能であるような位置に偏向される。偏向手段は、同期部材の取外し可能ばねまたは弾性変形可能部分を備えることが可能である。
【００１９】
他の実施形態によれば、同期部材の中央部分は、固定ガイドの上面上において突出部の縦方向端部と係合可能な突出ノブ状部分をさらに備える。
【００２０】
他の実施形態では、外部プルアウトガイドの後方端部は、上記第1条件において後方に延びる第1アームによって係合される弾性制動部分をさらに備える。
【００２１】
他の実施形態では、固定ガイドの上面上の突出部は固定ガイドと一体式である。
【００２２】
他の実施形態によれば、固定ガイドの上面上の突出部は、各縦方向端部の上にガイドランプをさらに備える。
【００２３】
本発明の両方の態様の一実施形態では、中間プルアウトレールはＩ形垂直断面を有する。
【００２４】
本発明の両方の態様の他の実施形態では、固定ガイドおよび外部プルアウトチャネルは、それぞれ、中間レールが固定ガイドの上をスライド可能であり、同様に外部プルアウトチャネルが中間レールの上をスライド可能であることを可能にする複数のローラを有するスライド可能ハウジングをさらに備える。
【００２５】
本発明の同期部材を有するスライドガイドレールの目的は、スライド可能外部プルアウトチャネルおよび中間レールのスライド運動が順次有効に同期される構成を提供することである。先行段落から明らかなように、本発明の同期部材の構造および形状により、従来装置と比較して、相対的により大きい表面積にわたるプルアウトチャネルおよび中間レールのスライド運動を効率的に安定化させ、制御し、誘導し、そして同期させる。これは、同期部材の第1アームおよび第2アームが、中央部分によって水平に間隔を置いて配置され、それにより同期部材は、任意の所与の時間にレール要素のいずれかより長い長さにわたることになる。同期部材のこの構成により、同期部材は、引出しを押し込むか、または引き出すときに、過剰な力が使用されるか、あるいは重い引出し負荷が担持される場合でも、故障せずに有効であることが可能になる。
【００２６】
さらに、中間レールは、望ましい距離を超えて「オーバースライド」して、ガイドレールアセンブリの効率を減少させ、ときには引出し前部において使用者に見えるようになることを防止する。これは、本発明の好ましい態様では固定ガイド、および本発明の他の態様では外部プルアウトチャネルに中間レールを固定するこのガイドレールアセンブリの同期部材によって提供される「固定機構」による。
【００２７】
同期部材の形状および構成により、同期部材は、大部分が剛性の高い構造であり、小部分が柔軟な部分であるという点で、従来の装置と比較してより頑強にもなる。同期部材は、その柔軟性について変形可能部分(第2アーム上の偏向手段、すなわち取外し可能ばねまたは弾性変形可能部分)に完全には依存しないが、その理由は、中央部分の第1旋回点を介して中間レールの上に旋回式に取り付けられ、また、第2アームが旋回運動するための第2旋回点を備えることも可能であるからである。これは、本質的な同期構成要素の物理的故障を伴わずに、この同期部材を有するガイドレールアセンブリのより長期でより持続的かつ積極的な使用を明らかに補助する。
【００２８】
同期部材の変形可能部分の取外しの可能性は、例えば偏向手段が弾性能力を失うことによる物理的障害の場合に、その部分のみを取り替える可能性を考慮している。また、これは、構造的に剛性の高い第1アームおよび中央部分が、金属などの頑強な材料から形成されることを可能にし、一方、変形可能第2アームは、プラスチックまたはゴムなどの弾性材料から形成されるか、あるいは取外し可能ばねを有することが可能である。こうして、同期部材の構造一体性および負荷効率およびこの同期部材を組み込むガイドレールアセンブリを外挿することによる構造一体性および負荷効率は損なわれることがない。
【００２９】
本発明のガイドレールアセンブリは、通常の使用者によっても容易に組み立てられ、その組立ては、特別な器具または技能を必要としない。さらに、構造および組立てが比較的簡単であるため、製造の費用効果がかなり高い。
【００３０】
本発明を、添付図面を参照した実施形態の以下の記述によって限定としてではなく示す。
【発明を実施するための最良の形態】
【００３１】
図1は、家具の物品内において組み立てられ、引出しの各側面に取り付けられた同期部材を有するスライドガイドレールアセンブリを示す。スライドガイドレールアセンブリは、アセンブリを家具の物品に固定するための支持手段10と、支持手段10の上に取り付けられた固定ガイド20と、中間プルアウトレール30と、引出し側面に固定された外部プルアウトチャネル40とを備える。固定ガイド20および外部プルアウトチャネル40は、それぞれ、複数のローラを有するスライド可能ハウジング70を有し、複数のローラは、図2に示されるように、本発明の好ましい態様において、中間レール30が固定ガイド20の上でスライド可能であり、同様に外部プルアウトチャネル40が中間レール30の上でスライド可能であることを可能にする。この実施形態では、中間レール30はＩ形であり、同期部材50,60を有する。同期部材50,60は、ガイドレールアセンブリが上に取り付けられる引出しの側面に対面する面上において、その中央垂直ウエブに旋回式に取り付けられる。好ましい実施形態では、固定ガイド20は、上面に突出部21を有し、外部プルアウトチャネル40は、同期部材50,60と係合するために、後方端部に配置された制動部分43を有する。
【００３２】
図3は、金属シートから、垂直フランジおよび水平フランジを具備してなるほぼＬ形の断面に形成された支持手段10を示す。垂直フランジは、引出しもしくは機器が中に装備されるキャビネットまたはシャーシなどの家具の物品の側面に固定するために複数の穴を有する。段階縁も、剛性を増大させるために、この垂直フランジ上に形成される。同様に、ノッチが、この支持手段の剛性および負荷能力を増大させるために、Ｌ形断面の湾曲縁において形成される。アセンブリの固定ガイド20は、支持手段10の水平フランジの上に取り付けられる。
【００３３】
この固定ガイド20は、金属シートから開Ｃ形断面に形成される。内向きに曲げられた穿孔タブからなるストッパが、ガイドの縦方向端部に向かって片側または両側に形成される。この固定ガイド20の内部には、ローラを有するスライドハウジング70がスライド式に嵌め込まれ、このスライドハウジングは、ストッパ間のガイドの内側においてローラの上を滑らかに走る。固定ガイド20の底面は、支持手段の水平フランジの上に取り付けられるよう構成された固定手段(図示せず)を備える。縦方向端部のそれぞれにガイドランプを備える台形状の形状を有する突出部21が、この固定ガイド20の後方(引出し配向に対して)に向かって上面上に配置される。この突出部21は、任意の材料から形成されることが可能であり、中間プルアウトレール30内の空間の中に突出する。この突出部は、ガイドレールアセンブリの動作中、その保持装置手段として作用することも可能である。
【００３４】
中間レール30は、金属シートから、概ねＩ形断面に、または代替として、垂直ウエブを備える上部水平フランジおよび下部水平フランジを有する2つのＴを組み合わせたものとして形成される。上部フランジおよび下部フランジの湾曲縁は互いに同じ側面上、または対向側面にある。2組のストッパが、やはり内向き湾曲穿孔タブからなることが可能である下部フランジおよび上部フランジの上面および下面において、それぞれ間隔を置いて形成される。この中間レール30は、どちらの端部が前方であるかについて区別せずに装備することが可能である。また、このレール30は、組立てまたは装備中にタブが必要な方向に湾曲されることが可能であるように、まだ湾曲されていないストッパの穿孔タブを備えることが可能である。これは、このシステムの組立て中の柔軟性を実現し、また、保管することが必要な部品の数を低減するので有利である。この中間レール30は、ガイドレールアセンブリが上に取り付けられる引出しの側面に対面する垂直ウエブの側面に旋回式に取り付けられた同期部材50,60をも有する。
【００３５】
図4から図6において示されるように、同期部材50,60は、後方に延びる第1アーム51,61および前方に延びる第2アーム52,62を備え、これらは、中央部分53,63からほぼ反対方向に延びる。第1アーム51,61および第2アーム52,62のそれぞれは、それぞれの末端ローラ51a,52a、および61a,62aを有し、これらは、同期部材50,60が、プルアウトチャネル40の底面に沿って進行することを可能にする。中央部分53,63は、旋回点53a,63aを含み、その点において、同期部材は、ピンなどを介して中間レール垂直ウエブ側面に旋回式に取り付けられる。また、中央部分53,63は、第1アーム51,61に対して角度付き輪郭を有するように構成され、固定ガイド突出部21の縦方向端部のガイドランプと係合可能である突出ノブ状部分53b,63bを介して、固定ガイド20の突出部21と相互作用するよう構成される。第1アーム51,61は湾曲51b,61bを含み、この湾曲は、外部プルアウトチャネル40の後方端部と係合可能なエルボー/遠位アーム部分を画定する。また第1アーム51,61は、中央部分53,63に対して上方に延びる。第2アーム52,62は、第2旋回点53c,63cの回りにおいて中央部分53,63に対して好ましくは取外し式に旋回し、使用時、末端ローラ52a,62aがプルアウトチャネル40の底面と接触可能であるような位置に偏向される。この偏向位置において、末端ローラと対面する第2アーム52,62の端部52c,62cは丸くされ、固定ガイド突出部21の縦方向端部と係合可能である。また、偏向手段は、取外し可能ばね52bを備えることも好ましく、このばねは、使用時、図5A、図5Bおよび図5Cに示されるように、中央部分53と柔軟に追合し、かつそれから角度を付けて突出する(約20°)ことを可能にする。しかし代替として、図6に示されるように、第2アーム62は、第2旋回点63cの回りにおいて中央部分63に対して旋回式に取り付けられ、上記されたのと同じような位置に偏向されることが可能である。この代替法の場合、第2アーム62は、弾性的に変形可能な部分62bを有し、それにより必要な柔軟性を保持する。
【００３６】
外部プルアウトチャネル40は、金属シートから開Ｃ形断面に形成される。このプルアウトチャネル40の両側に、2つのストッパが配置され、各ストッパは、ガイドの縦方向端部に向かって配置される。これらのストッパは内向きに湾曲された穿孔タブからなる。Ｌ形延長部41が、このプルアウトチャネルの上面において切断または形成される。この延長部は、このプルアウトチャネルを引出しに固定するために、引出し側面上の取付部(図示せず)と係合する。アパーチャ42も、引出し側面の前方において取り付けられたキャッチ(図示せず)との係合を可能にするために、前方端部(引出し配向に対して)において、このプルアウトチャネルの上面に穿孔される。これは、引出しが、外部プルアウトチャネル40に容易にかつ取外し式に取り付けられることを可能にする。このプルアウトチャネルの内側に、ローラを有するスライドハウジング70がスライド式に嵌め込まれ、このスライドハウジングは、ストッパ間のプルアウトチャネルの内側においてローラの上を滑らかに走る。さらに、この外部プルアウトチャネル40は、弾性制動部分43を後方端部に有し、これは、同期部材50,60の、後方に延びる第1アーム51,61(例えば末端ローラ52a)によって係合可能である。この制動部分43は、実質的に弾性を有する任意のタイプの材料で形成することが可能であり、同期部材50,60の第1アーム51,61がそれと係合するときに発生する雑音を減衰させるかまたは排除するよう機能する。
【００３７】
固定ガイド20および外部プルアウトチャネル40の両方のスライドハウジング70は、同様の構成であり、開Ｔ形状の中空中央凹みを有する、ほぼ矩形の断面を有する長い部材を備える。ローラが、Ｔの上部および両側面に設けられる。側面ローラは、中間レール30の垂直ウエブの厚さにほぼ等しい距離だけ垂直に変位させられる。ローラの数、タイプ(上部ローラか、または側面ローラか)、および構成は、スライドハウジングが設計される負荷能力に依存する。引出し/機器の横方向ガイダンスを提供する他の側面ローラ(図示せず)を提供することも可能であり、これらのローラが可能な限り間隔を置いて配置されるとき、より優れた横安定性が提供される。中間レールスライドハウジングの開Ｔ形凹みにより、中間レールは、固定ガイドの上をスライドすることが可能になり、レールの下方フランジは、内部においてスライド式に嵌め込まれる。同様に、外部プルアウトチャネルスライドハウジングの開Ｔ形凹みにより、プルアウトチャネルは、中間レールの上をスライドすることが可能になり、レールの上方フランジは、内部においてスライド式に嵌め込まれる。適切な間隙が、位置合わせおよび/または組立てを容易にするために、上方ローラと、中間レールの上方フランジおよび下方フランジの両方のそれぞれの接触表面との間において提供される。同様に、適切な間隙が、側面ローラと、中間レールの垂直ウエブの接触表面との間において提供される。
【００３８】
使用時、図7および図8に示されるように、完全に閉じた位置から引出しが引き出されるとき、または完全に引き出された位置から家具の物品の中に押し込まれるとき、内部に配置された同期部材を有するガイドレールアセンブリは、中間レール30および外部プルアウトチャネル40が、順次互いの上をスライド可能であるように、同期スライド運動を提供する。引出しが完全に引き出された位置にあるとき、中間レール30の同期部材50,60は、第1条件にあり、後方に延びる第1アーム51,61のエルボー51b,61bは、外部プルアウトチャネル40の後方端部と係合して、プルアウトチャネルを中間レール30にロックする。すなわち、中間レール30のスライド運動は、同期部材50,60がこの第1条件にあるとき、プルアウトチャネル40のスライド運動と同期していると言われる。引出しが内向きに押される際に、中間レール30が上においてロックされている外部プルアウトチャネル40は、家具の物品の後方部分に向かって固定ガイド20に対してスライドする。共にロックされたプルアウトチャネル-中間レールのスライドは、ある位置に到達し、その位置において、固定ガイド20の上面突出部21の縦方向側面ガイドランプが、まず、第2アーム52,62が中央部分53,63に対して旋回する接合部(第2旋回点53c,63cおよび第2アーム52,62の丸い端部52c,62c)において同期部材50,60と係合可能になり、その後、同期部材50,60の中央部分53,63のノブ53b,63bと係合可能になる。それにより、同期部材50,60は、第2条件に切り替えられ、第1アーム51,61のエルボー51b,61bは、外部プルアウトチャネル40の後方端部から外れ、中央部分53,63は、固定ガイド突出部21と係合する。同期部材50,60のこの第2条件において、中間レール30は、固定ガイド20にロックされるかまたは「静止して固定」され、一方、外部プルアウトチャネル40は、プルアウトチャネル40のスライドハウジング70が限界ストップと隣接するまで後方にスライドし続ける。
【００３９】
引出しが完全閉鎖位置にあるとき、同期部材50,60は、第2条件にあり、中間レール30は、固定ガイド20に固定され、同期部材50,60の中央部分53,63は、固定ガイド20の上面突出部21と係合する。引出しが、家具の物品から外向きに引き出される際に、外部プルアウトチャネル40は、静止して共にロックされた中間レール-固定ガイドに対して前方にスライドする。スライドする外部プルアウトチャネル40が、その後方端部が同期部材50,60の第1アームエルボー51b,61bと係合可能になる点に到達するとき、まず、中央部分53,63の上のノブ53b,63b、その後、第2アーム52,62が同期部材の中央部分53,63に対して旋回する接合部(第2旋回点53c,63c、および第2アーム52,62の丸い端部52c,62c)が、固定ガイド突出部21から外れる。したがって、中間レール30は、もはや固定ガイド20にロックされておらず、自由にスライド移動する。同期部材50,60は、この段階で、第1条件に切り替えられると言われ、第1アームエルボー51b,61bは、プルアウトチャネル40の後方端部と係合する。すなわち、中間レール30は、この段階で、外部プルアウトチャネル40とロックされ、プルアウトチャネルと共に前方にスライドする。
【００４０】
同期部材50,60の中央部分53,63は、ガイドレールアセンブリの開放行為または閉鎖行為中に、同期部材を第1条件から第2条件およびその反対に切り替えるために、上面固定ガイド突出部21と相互作用すると言うことができる。
【００４１】
図9および図10に示される他の実施形態において、ガイドレールアセンブリの構成、ならびに家具の物品および引出しに取り付ける方式は、上記の好ましい実施形態と同様であるが、外部プルアウトチャネル40が、底面に突出部44を有し、固定ガイド20が、同期部材50,60と係合するために、前方端部に配置された制動部分22を有する点が異なる。
【００４２】
この実施形態では、ガイドランプが縦方向端部のそれぞれにある台形状の突出部44は、外部プルアウトチャネル40の前部(引出し配向に対して)に向かって底面上に配置される。やはり、この突出部44は任意の材料で形成することが可能であり、中間プルアウトレール30内の空間の中に突出し、また、ガイドレールアセンブリの動作中、その保持装置手段として作用することも可能である。
【００４３】
また、固定ガイド20の前方端部は、同期部材50,60の第1アーム51,61によって係合可能である弾性制動部分22を有するように配置される。再び、この制動部分22は、実質的に弾性を有する任意のタイプの材料で形成することが可能であり、同期部材50,60の第1アーム51,61が制動部分22と係合するときに発生する雑音を減衰させるかまたは排除するように機能する。
【００４４】
この実施形態の同期部材50,60は、好ましい実施形態と同様の構成であり、また、ガイドレールアセンブリが上に取り付けられる引出しの側面に面する中間レール30の垂直ウエブ側面に旋回式に取り付けられる。この実施形態の例外は、同期部材50,60が、それを中間レール30に取り付けられる旋回点53a,63aの上において、第1アーム51,61が、この段階で前方に延び、第2アーム52,62が後方に延びるように配向されることである。したがって、第1アーム51,61および第2アーム52,62のそれぞれの上の末端ローラ51a,52a、および61a,62aにより、この段階で、同期部材50,60は、固定ガイド20の上面に沿って進行することが可能になる。ここで、同期部材50,60の中央部分53,63は、突出ノブ状部分53b,63bを介して、プルアウトチャネル40の突出部44と相互作用するよう構成される。この中央部分ノブ53b,63bは、この段階で、プルアウトチャネル突出部44の縦方向端部のガイドランプと係合可能になることが明らかである。前方に延びる第1アーム51,61のエルボー51b,61bは、固定ガイド20の前方端部と係合可能である。第2アーム52,62は、第2旋回点53c,63cの回りにおいて中央部分53,63に対して好ましくは取外し式に旋回し、末端ローラ52a,62aが固定ガイド20の上面と接触可能であるような点に偏向される。上述した偏向手段のいずれも、この実施形態において考慮可能であり、取外し可能ばね52bとすることが可能であり、または第2アームは、弾性変形可能部分62bからなることを意味する。
【００４５】
使用時、完全に閉じた位置から引出しが引き出されるとき、または完全に引き出された位置から家具の物品の中に押し込まれるとき、この実施形態の同期部材50,60を有するガイドレールアセンブリは、中間レール30および外部プルアウトチャネル40が、順次互いの上をスライド可能であるように、同期スライド運動をやはり提供する。引出しが完全に引き出された位置にあるとき、中間レール30の同期部材50,60は、第1条件にあり、前方に延びる第1アーム51,61のエルボー51b,61bは、固定ガイド20の前方端部と係合し、中間レール30を固定ガイド20にロックする。すなわち、中間レール30は、同期部材50,60が第1条件にあるとき、固定ガイドにロックされる、または「静止して固定」される。引出しが内向きに押される際に、外部プルアウトチャネル40は、家具の物品の後方部分に向かって、共にロックされた中間レール-固定ガイドに対してスライドする。スライドする外部プルアウトチャネル40が、底面突出部44の縦方向端部ガイドランプが、第2アーム52,62が同期部材50,60の中央部分53,63に対して旋回する接合部(第2旋回点53c,63c、および第2アーム52,62の丸い端部52c、62c)と係合可能になる点に到達するとき、同期部材は、第2条件に切り替えられ、第1アームのエルボー51b,61bは、固定ガイド20の前方端部から外れ、中央部分は、この段階で、プルアウトチャネル突出部44と係合する。この同期部材第2条件において、中間レール30は、自由にスライド移動可能であり、スライド運動がプルアウトチャネルのスライド運動と同期されるように、プルアウトチャネル40とロックされる。
【００４６】
引出しが完全閉鎖位置にあるとき、同期部材50,60は、第2条件にあり、中間レール30は、外部プルアウトチャネル40にロックされ、同期部材の中央部分53,63は、プルアウトチャネルの底面突出部44と係合する。引出しが家具の物品から外向きに引き出される際に、共にロックされた外部プルアウトチャネル-中間レールは、静止固定ガイド20に対して前方にスライドする。スライドするプルアウトチャネル-中間レールが、同期部材50,60の第1アームエルボー51b,61bが固定ガイド20の前方端部と係合可能になる位置に到達するとき、第2アーム52,62が同期部材50,60の中央部分53,63に対して旋回する接合部(第2旋回点53c,63c、および第2アーム52,62の丸い端部52c,62c)はプルアウトチャネル突出部44から外れる。したがって中間レール30は、プルアウトチャネル40とは、もはやロックされていないが、代わりにこの段階で、固定ガイド20に静止して固定される。すなわち、同期部材50,60は、この段階で、第1条件に切り替えられると言われ、第1アームエルボー51b,61bは、固定ガイド20の前方端部と係合する。引出しが完全に引き出されるまでさらに引き出される際に、外部プルアウトチャネル40は、スライドハウジング70が限界ストップに隣接するまで、静止中間レール30とは独立に前方にスライドし続ける。
【００４７】
同期部材50,60の中央部分53,63は、ガイドレールアセンブリの開放行為または閉鎖行為中、同期部材50,60を第1条件から第2条件およびその反対に切り替えるために、外部プルアウトチャネル40の底面突出部44と相互作用する。
【００４８】
図2、図3、図7および図8の好ましい実施形態について、同期部材50が好ましい構造を有し、それにより、第2アーム52が偏向手段として取外し可能ばね52bを有する場合、後方に延びる第1アーム51の末端ローラ51aは、第1アームエルボー51bがプルアウトチャネル40の後方端部と係合する際に、外部プルアウトチャネル40の弾性制動部分43と接触する。代替構造の同期部材60が使用され、それにより、第2アームが、偏向手段として弾性変形可能部分62bを有する場合(図11に示される)、第1アーム61の末端ローラ61aは、外部プルアウトチャネル40の制動部分43と接触せず、第1アームエルボー61bがプルアウトチャネル後方端部と係合する際に、プルアウトチャネル40の後方端部から遠ざかるように向けられる。
【００４９】
図9および図10の実施形態では、好ましい同期部材50が使用されるとき、前方に延びる第1アーム51の末端ローラ51aは、第1アームエルボー51bが固定ガイド20の前方端部と係合する際に、固定ガイド20の弾性制動部分22と接触する。代替同期部材60が使用されるとき、第1アーム61の端末ローラ61aは、再び、固定ガイドの制動部分22と接触せず、第1アームエルボー61bが固定ガイド20の前方端部と係合する際に、固定ガイド前方端部から遠ざかるように向けられる。
【００５０】
弾性制動部分22,43を有するすべての実施形態において、弾性制動部分43の機能は、係合中、エルボーアーム51,61と固定ガイド20の対応する前方端部、または外部プルアウトチャネル40の後方端部との間の衝撃を和らげ、それにより結果として発生する雑音を和らげることである。
【００５１】
当業者には容易に明らかなように、本発明は、その範囲または本質的な特徴から逸脱せずに、他の特定の形態へと変更することが可能である。したがって本実施形態は、単に例示であって限定ではないと解釈されるべきであり、本発明の範囲は、以上の記述ではなく特許請求の範囲によって示され、したがってその中でのすべての変更は特許請求の範囲に包含されるものである。
【図面の簡単な説明】
【００５２】
【図１】家具の物品内において本発明によるスライドガイドレールアセンブリを有する引出しを示す図である。
【図２】本発明の好ましい実施形態の断面図である。
【図３】本発明の好ましい実施形態の一部の分解図である。
【図４】本発明の好ましい実施形態の同期部材を示す図である。
【図５Ａ】組み立てられる際の図4の同期部材の側面を示す図である。
【図５Ｂ】組み立てられる際の図4の同期部材の側面を示す図である。
【図５Ｃ】組み立てられる際の図4の同期部材の側面を示す図である。
【図６】本発明の他の実施形態の同期部材を示す図である。
【図７】引出しが当初完全開放位置にあり、その後完全閉鎖位置に押し込まれる際の本発明の好ましい実施形態の側面図である。
【図８】図7の態様において、同期部材と外部プルアウトチャネルの後方端部との係合部分の拡大図である。
【図９】引出しが当初完全開放位置にあり、その後完全閉鎖位置に押し込まれる際の本発明の他の実施形態の側面図である。
【図１０】図9の態様において、同期部材と固定ガイドの前方端部との係合部分の拡大図である。
【図１１】本発明の一実施形態において、図6の同期部材と外部プルアウトチャネルの後方端部との係合部分の拡大側面図である。
【符号の説明】
【００５３】
10  支持手段
20  固定ガイド
21  突出部
22  弾性制動部分
30  中間プルアウトレール
40  外部プルアウトチャネル
43  弾性制動部分
44  突出部
50,60  同期部材
51,61  第1アーム
51b,61b  湾曲
52,62  第2アーム
52b  取外し可能ばね
53,63  中央部分
53a,63a  旋回点
51a,52a,61a,62a  ローラ
60  同期部材
62b  弾性変形可能部分
70  ハウジング
【図１】
2006231046.tif 000003
【図２】
2006231046.tif 000004
【図３】
2006231046.tif 000005
【図４】
2006231046.tif 000006
【図５Ａ】
2006231046.tif 000007
【図５Ｂ】
2006231046.tif 000008
【図５Ｃ】
2006231046.tif 000009
【図６】
2006231046.tif 000010
【図７】
2006231046.tif 000011
【図８】
2006231046.tif 000012
【図９】
2006231046.tif 000013
【図１０】
2006231046.tif 000014
【図１１】
2006231046.tif 000015
【外国語明細書】
2006231046.tif 000016
2006231046.tif 000017
2006231046.tif 000018
2006231046.tif 000019
2006231046.tif 000020
2006231046.tif 000021
2006231046.tif 000022
2006231046.tif 000023
2006231046.tif 000024
2006231046.tif 000025
2006231046.tif 000026
2006231046.tif 000027
2006231046.tif 000028
2006231046.tif 000029
2006231046.tif 000030
2006231046.tif 000031
2006231046.tif 000032
2006231046.tif 000033
2006231046.tif 000034
2006231046.tif 000035
2006231046.tif 000036
2006231046.tif 000037
2006231046.tif 000038
2006231046.tif 000039
2006231046.tif 000040
2006231046.tif 000041
2006231046.tif 000042
2006231046.tif 000043
2006231046.tif 000044
2006231046.tif 000045
2006231046.tif 000046
2006231046.tif 000047
2006231046.tif 000048
2006231046.tif 000049
2006231046.tif 000050
2006231046.tif 000051
2006231046.tif 000052